(57)【要約】【課題】  現地での天板の連結を簡単且つ容易に行えるようにする。【解決手段】  天板Ｔを突き合せ状態で連結する天板用連結具Ａであって、前記天板用連結具Ａは、連結される一対の天板Ｔの各端部裏面に取り付けられて互いに抜き差し自在に係止される一対の連結プレート１，２から成り、両連結プレート１，２は、天板Ｔの端部裏面に固定される板状の固定部１ａ，２ａと、固定部１ａ，２ａの一端部に固定部１ａ，２ａの外側端に沿う姿勢で連設されて互いに係止自在な細長い板状の係止部１ｂ，２ｂと、固定部１ａ，２ａと係止部１ｂ，２ｂの間に形成されて相手側の係止部１ｂ，２ｂが抜き差し自在に挿入される細長い切欠部１ｃ，２ｃとを夫々備えている。【選択図】      図６
2010038298.tif 000002
【特許請求の範囲】
【請求項１】
天板（Ｔ）を突き合せ状態で連結する天板用連結具（Ａ）であって、前記天板用連結具（Ａ）は、連結される一対の天板（Ｔ）の各端部裏面に取り付けられて互いに抜き差し自在に係止される一対の連結プレート（１），（２）から成り、両連結プレート（１），（２）は、天板（Ｔ）の端部裏面に固定される板状の固定部（１ａ），（２ａ）と、固定部（１ａ），（２ａ）の一端部に固定部（１ａ），（２ａ）の外側端に沿う姿勢で連設されて互いに係止自在な細長い板状の係止部（１ｂ），（２ｂ）と、固定部（１ａ），（２ａ）と係止部（１ｂ），（２ｂ）の間に形成されて相手側の係止部（１ｂ），（２ｂ）が抜き差し自在に挿入される細長い切欠部（１ｃ），（２ｃ）とを夫々備えていることを特徴とする天板用連結具。
【請求項２】
両連結プレート（１），（２）は、同一の形状及び同一の大きさに形成されていることを特徴とする請求項１に記載の天板用連結具。
【請求項３】
両連結プレート（１），（２）の係止部（１ｂ），（２ｂ）は、平面形状が楔状に形成されており、係止部（１ｂ），（２ｂ）の固定部（１ａ），（２ａ）に対向する内側端面（１ｂ′），（２ｂ′）が係止部（１ｂ），（２ｂ）の先端側へ向かって固定部（１ａ），（２ａ）の外側端面（１ａ′），（２ａ′）から離間する方向へ傾斜していることを特徴とする請求項１又は請求項２に記載の天板用連結具。
【請求項４】
両連結プレート（１），（２）の両面又は片面に少なくとも切欠部（１ｃ），（２ｃ）の一部分を覆う位置決めプレート（３）を取り付け、固定部（１ａ），（２ａ）の係止部（１ｂ），（２ｂ）に対向する外側端面（１ａ′），（２ａ′）に相手側の係止部（１ｂ），（２ｂ）が摺動自在に嵌合される位置決め溝（１ｅ），（２ｅ）を形成したことを特徴とする請求項１、請求項２又は請求項３に記載の天板用連結具。
【請求項５】
両連結プレート（１），（２）の固定部（１ａ），（２ａ）を係止部（１ｂ），（２ｂ）よりも厚肉に形成し、固定部（１ａ），（２ａ）の係止部（１ｂ），（２ｂ）に対向する外側端面（１ａ′），（２ａ′）に相手側の係止部（１ｂ），（２ｂ）が摺動自在に嵌合される位置決め溝（１ｅ），（２ｅ）を形成したことを特徴とする請求項１、請求項２又は請求項３に記載の天板用連結具。
【請求項６】
互いに突き合せ状態で連結される一対の天板（Ｔ）の各端部に沿って請求項１、請求項２、請求項３、請求項４又は請求項５に記載の天板用連結具（Ａ）を複数組配置すると共に、各天板用連結具（Ａ）の連結プレート（１），（２）をその係止部（１ｂ），（２ｂ）の外側端が天板（Ｔ）の側端面から突出する状態で一対の天板（Ｔ）の各端部裏面に夫々取り付け、一方の天板（Ｔ）に取り付けた連結プレート（１）の係止部（１ｂ）を他方の天板（Ｔ）に取り付けた連結プレート（２）の切欠部（２ｃ）へ、又、他方の天板（Ｔ）に取り付けた連結プレート（２）の係止部（２ｂ）を一方の天板（Ｔ）に取り付けた連結プレート（１）の切欠部（１ｃ）へ夫々挿入し、一対の天板（Ｔ）に取り付けた両連結プレート（１），（２）を連結することによって、一対の天板（Ｔ）の端部同士を突き合せ状態で連結するようにしたことを特徴とする天板の連結方法。
【請求項７】
互いに突き合せ状態で連結される一対の天板（Ｔ）の各端部裏面に、請求項１、請求項２、請求項３、請求項４又は請求項５に記載の天板用連結具（Ａ）が夫々収納される天板（Ｔ）の側方へ開放された収納凹部（Ｔａ）を夫々形成し、当該収納凹部（Ｔａ）内に天板用連結具（Ａ）の連結プレート（１），（２）をその係止部（１ｂ），（２ｂ）の外側端が天板（Ｔ）の側端面から突出する状態で取り付けるようにしたことを特徴とする請求項６に記載の天板の連結方法。
【発明の詳細な説明】
【技術分野】
【０００１】
本発明は、店舗や事務所のカウンター、キッチンカウンター、洗面カウンター、棚板カウンター、流し台、テーブル、机、家具等に用いられる天板を突き合せ状態で連結するための天板用連結具及びこれを用いた天板の連結方法の改良に係り、特に、現地での天板の連結を簡単且つ容易に行えるようにした天板用連結具及びこれを用いた天板の連結方法に関するものである。
【背景技術】
【０００２】
一般に、各種カウンターや流し台、テーブル等に於いては、複数枚の天板の端部同士を突き合せた状態で連結し、天板を連続させることが行われている。この天板の連結は、通常接続金具及びボルト・ナット等を用いて行われている（例えば、特許文献１及び特許文献２等参照）。
【０００３】
即ち、天板Ｔの連結は、図１６（Ａ）及び図１６（Ｂ）に示す如く、互いに突き合せ状態で連結される一対の天板Ｔの各端部裏面に金属板を折り曲げ加工して成る接続金具１０をビス１１により夫々取り付け、前記両接続金具１０をボルト１２及びナット１３で締め付けることにより行われている。
【０００４】
又、天板の端部同士を連結する最も簡単な構造のものとしては、図示していないが、隣接する天板の裏面端部に平板状の接続金具を掛け渡し、当該接続金具をビスにより天板の端部裏面に取り付けることによって、天板の端部同士を連結することが行われている。
【０００５】
ところで、今までの天板に於いては、工場内で接続金具及びボルト等により天板同士を連結して組み立てた後、接続金具を天板から一旦取り外して天板の連結を解除し、現地で再び接続金具及びボルト等を用いて天板を連結するようにしていた。そのため、現地での天板の連結を簡単且つ容易に行えないと云う問題があった。特に、大きい天板の連結には、接続金具等の数も多くなって大変苦労していた。
【０００６】
又、平板状の接続金具を用いて天板を連結する場合には、連結される天板の表面のレベルを調整するために、両天板に別途「雇い実（接合する木材の両端面に溝を形成し、その溝に別の木を嵌め込んで接合すること）」と云う加工を施す必要があり、極めて手数が掛かるうえ、コストの高騰を招くと云う問題があった。
【特許文献１】実開昭６２−１００３１４号公報
【特許文献２】特開平６−１８１８２２号公報
【発明の開示】
【発明が解決しようとする課題】
【０００７】
本発明は、このような問題点に鑑みて為されたものであり、その目的は、現地での天板の連結を簡単且つ容易に行えるようにした天板用連結具及びこれを用いた天板の連結方法を提供することにある。
【課題を解決するための手段】
【０００８】
上記目的を達成するために、本発明の請求項１に記載の発明は、天板を突き合せ状態で連結する天板用連結具であって、前記天板用連結具は、連結される一対の天板の各端部裏面に取り付けられて互いに抜き差し自在に係止される一対の連結プレートから成り、両連結プレートは、天板の端部裏面に固定される板状の固定部と、固定部の一端部に固定部の外側端に沿う姿勢で連設されて互いに係止自在な細長い板状の係止部と、固定部と係止部の間に形成されて相手側の係止部が抜き差し自在に挿入される細長い切欠部とを夫々備えていることに特徴がある。
【０００９】
本発明の請求項２に記載の発明は、請求項１の発明に於いて、両連結プレートが、同一の形状及び同一の大きさに形成されていることに特徴がある。
【００１０】
本発明の請求項３に記載の発明は、請求項１又は請求項２の発明に於いて、両連結プレートの係止部が、平面形状楔状に形成されており、係止部の固定部に対向する内側端面が係止部の先端側へ向かって固定部の外側端面から離間する方向へ傾斜していることに特徴がある。
【００１１】
本発明の請求項４に記載の発明は、請求項１、請求項２又は請求項３の発明に於いて、両連結プレートの両面又は片面に少なくとも切欠部の一部分を覆う位置決めプレートを取り付け、固定部の係止部に対向する外側端面に相手側の係止部が摺動自在に嵌合される位置決め溝を形成したことに特徴がある。
【００１２】
本発明の請求項５に記載の発明は、請求項１、請求項２又は請求項３の発明に於いて、両連結プレートの固定部を係止部よりも厚肉に形成し、固定部の係止部に対向する外側端面に相手側の係止部が摺動自在に嵌合される位置決め溝を形成したことに特徴がある。
【００１３】
本発明の請求項６に記載の発明は、互いに突き合せ状態で連結される一対の天板の各端部に沿って請求項１、請求項２、請求項３、請求項４又は請求項５に記載の天板用連結具を複数組配置すると共に、各天板用連結具の連結プレートをその係止部の外側端が天板の側端面から突出する状態で一対の天板の各端部裏面に夫々取り付け、一方の天板に取り付けた連結プレートの係止部を他方の天板に取り付けた連結プレートの切欠部へ、又、他方の天板に取り付けた連結プレートの係止部を一方の天板に取り付けた連結プレートの切欠部へ夫々挿入し、一対の天板に取り付けた両連結プレートを連結することによって、一対の天板の端部同士を突き合せ状態で連結するようにしたことに特徴がある。
【００１４】
本発明の請求項７に記載の発明は、請求項６の発明に於いて、互いに突き合せ状態で連結される一対の天板の各端部裏面に、請求項１、請求項２、請求項３、請求項４又は請求項５に記載の天板用連結具が夫々収納される天板の側方へ開放された収納凹部を夫々形成し、当該収納凹部内に天板用連結具の連結プレートをその係止部の外側端が天板の側端面から突出する状態で取り付けるようにしたことに特徴がある。
【発明の効果】
【００１５】
本発明の請求項１に記載の天板用連結具は、連結される一対の天板の各端部裏面に取り付けられて互いに抜き差し自在に係止される一対の連結プレートから成り、両連結プレートが、天板の端部裏面に固定される板状の固定部と、固定部の一端部に固定部の外側端に沿う姿勢で連設されて互いに係止自在な細長い板状の係止部と、固定部と係止部の間に形成されて相手側の係止部が抜き差し自在に挿入される細長い切欠部とを夫々備えているため、一方の連結プレートの係止部を他方の連結プレートの切欠部へ、又、他方の連結プレートの係止部を一方の連結プレートの切欠部へ夫々抜き差しすることによって、両連結プレートの連結又は分離を行うことができ、操作性に極めて優れている。その結果、本発明の請求項１に記載の天板用連結具を用いれば、工場用内での天板の連結又は分解を簡単且つ容易に行えることは勿論のこと、現地での天板の連結を簡単且つ容易に行えることになる。
又、本発明の請求項１に記載の天板用連結具は、互いに抜き差し自在に係止される一対の連結プレートから成るため、部品点数が少なくコストの低減を図ることができる。
【００１６】
本発明の請求項２〜請求項５に記載の天板用連結具は、上記効果に加えて更に次のような優れた効果を奏することができる。
即ち、本発明の請求項２に記載の天板用連結具は、両連結プレートを同一の形状及び同一の大きさに形成しているため、製造が簡単になって更にコストの低減を図ることができる。
又、本発明の請求項３に記載の天板用連結具は、両連結プレートの係止部を平面形状が楔状になるように形成しているため、両連結プレートを連結する際に、両係止部の楔作用により両連結プレートが強くひきつけられることになり、両天板の突き合せ部の隙間を無くすことができる。その結果、本発明の請求項３に記載の天板用連結具を用いれば、連結された天板の突き合せ部の隙間がなくなるので、外観上の体裁を良く見せることができる。
更に、本発明の請求項４に記載の天板用連結具は、両連結プレートの固定部の外側端面に位置決めプレートにより相手側の係止部が摺動自在に嵌合される位置決め溝を形成し、又、本発明の請求項５に記載の天板用連結具は、両連結プレートの固定部を係止部よりも厚肉に形成し、固定部の外側端面に相手側の係止部が摺動自在に嵌合される位置決め溝を形成しているため、両連結プレートの位置決め溝及び両係止部が雇い実の役目を果たし、天板を連結したときに両天板の表面のレベルが自動的に調整されて同一になり、レベル調整を行う必要がない。然も、天板に雇い実の加工を施したりする必要もなくなり、天板の加工工程の削減及びコストの削減を図れる。
【００１７】
本発明の請求項６に記載の天板の連結方法は、互いに突き合せ状態で連結される一対の天板の各端部に沿って天板用連結具を複数組配置し、各天板用連結具の連結プレートをその係止部の外側端が天板の側端面から突出する状態で一対の天板の各端部裏面に夫々取り付け、一方の天板に取り付けた連結プレートの係止部を他方の天板に取り付けた連結プレートの切欠部へ、又、他方の天板に取り付けた連結プレートの係止部を一方の天板に取り付けた連結プレートの切欠部へ夫々挿入し、一対の天板に取り付けた両連結プレートを連結することによって、一対の天板の端部同士を突き合せ状態で連結するようにしているため、天板の連結をワンタッチで簡単且つ容易に行えることになり、現地での天板の連結作業が極めて簡単になる。
【００１８】
本発明の請求項７に記載の天板の連結方法は、互いに突き合せ状態で連結される一対の天板の各端部裏面に、天板用連結具が夫々収納される天板の側方へ開放された収納凹部を夫々形成し、当該収納凹部内に天板用連結具の連結プレートをその係止部の外側端が天板の側端面から突出する状態で取り付けるようにしているため、天板用連結具が天板の裏面から突出することがなく、天板に取り付けた天板用連結具が邪魔になると云うことがない。その結果、本発明の請求項７に記載の天板の連結方法を用いれば、天板用連結具を天板に取り付けた状態で天板を工場から現地へ搬送することができ、現地での天板の連結をより一層簡単且つ容易に行える。
【発明を実施するための最良の形態】
【００１９】
以下、本発明の実施形態を図面に基づいて詳細に説明する。
図１〜図４、図６〜図８は本発明の第１の実施形態に係る天板用連結具Ａを示し、当該天板用連結具Ａは、連結される一方の天板Ｔの端部裏面に取り付けられる連結プレート１と、連結される他方の天板Ｔの端部裏面に取り付けられる連結プレート２と、両連結プレート１，２の両面に夫々取り付けた位置決めプレート３とから構成されており、両連結プレート１，２が同一の形状及び同一の大きさに形成されて互いに抜き差し自在に係止される構造となっている。
【００２０】
即ち、前記一方の連結プレート１は、図２に示す如く、一般構造用鋼板、溶接構造用鋼板、ステンレス鋼板及びアルミ合金板等の金属板又はプラスチック板若しくは木等の板により形成されており、連結される一方の天板Ｔの端部裏面に固定される板状の固定部１ａと、固定部１ａの一端部に固定部１ａの外側端に沿う姿勢で連設され、先端側が開放された細長い板状の係止部１ｂと、固定部１ａと係止部１ｂとの間に形成され、係止部１ｂと略対称形状に形成された細長い切欠部１ｃとを備えている。この実施形態に於いては、一方の連結プレート１は、金属板により形成されている。
【００２１】
又、前記他方の連結プレート２は、図２に示す如く、一方の連結プレート１と同じ金属板（一般構造用鋼板、溶接構造用鋼板、ステンレス鋼板及びアルミ合金板等）又はプラスチック板若しくは木等の板により一方の連結プレート１と同一の形状及び同一の大きさに形成されており、連結される他方の天板Ｔの端部裏面に固定される板状の固定部２ａと、固定部２ａの一端部に固定部２ａの外側端に沿う姿勢で連設され、一方の連結プレート１の切欠部１ｃに抜き差し自在に挿入されて一方の連結プレート１の係止部１ｂに係止される先端側が開放された細長い板状の係止部２ｂと、固定部２ａと係止部２ｂとの間に形成され、一方の連結プレート１の係止部１ｂが抜き差し自在に挿入される係止部２ｂと略対称形状に形成された細長い切欠部２ｃとを備えている。この実施形態に於いては、他方の連結プレート２は、一方の連結プレート１と同じ材質の金属板により形成されている。
【００２２】
前記両連結プレート１，２の固定部１ａ，２ａは、平面形状が長方形の板状に形成されており、当該固定部１ａ，２ａには、複数のビス穴１ｄが長手方向に沿って一定間隔ごとに形成されている。
又、両連結プレート１，２の係止部１ｂ，２ｂは、平面形状が楔状に形成されており、係止部１ｂ，２ｂの固定部１ａ，２ａに対向する内側端面１ｂ′，２ｂ′が係止部１ｂ，２ｂの先端側へ向かって固定部１ａ，２ａの外側端面１ａ′，２ａ′から離間する方向へ傾斜している。この実施形態に於いては、係止部１ｂ，２ｂの内側端面１ｂ′，２ｂ′の傾斜角度αは、固定部１ａ，２ａの外側端面１ａ′，２ａ′に対して１０度傾斜している。
更に、両連結プレート１，２の係止部１ｂ，２ｂの外縁部は、係止部１ｂ，２ｂが相手側の連結プレート１，２の固定部１ａ，２ａの外側端面１ａ′，２ａ′に形成した位置決め溝１ｅ，２ｅ内へ円滑且つスムースに挿入されるように面取り加工が施されている。
【００２３】
前記各位置決めプレート３は、図１及び図２に示す如く、両連結プレート１，２と同じ材質の金属板（一般構造用鋼板、溶接構造用鋼板、ステンレス鋼板及びアルミ合金板等）により両連結プレート１，２の固定部１ａ，２ａの幅よりも若干大きめの長方形状に形成されており、両連結プレート１，２の係止部１ｂ，２ｂの一部分を夫々覆うように、両連結プレート１，２の固定部１ａ，２ａの両面に夫々スポット溶接により溶着されている。
これによって、両連結プレート１，２の固定部１ａ，２ａの係止部１ｂ，２ｂに対向する外側端面１ａ′，２ａ′には、相手側の係止部１ｂ，２ｂが夫々摺動自在に嵌合される位置決め溝１ｅ，２ｅが形成されることになる。
又、各位置決めプレート３には、両連結プレート１，２の固定部１ａ，２ａに形成した複数のビス穴１ｄ，２ｄに夫々合致する複数のビス穴３ａが位置決めプレート３の長手方向に沿って一定間隔ごとに形成されている。
【００２４】
そして、上述した構造の天板用連結具Ａが取り付けられる天板Ｔは、図５に示す如く、適宜の厚さを有する合板やパーティクルボード板等から成る台板の表面に、メラミンやアルミニウム、ステンレス等の化粧板を貼着したものであり、適宜の形状（例えば、長方形状等）に仕上げられている。
又、互いに突き合せ状態で連結される一対の天板Ｔの各端部裏面には、天板用連結具Ａが収納される収納凹部Ｔａが各天板Ｔの端部に沿って一定間隔ごとに形成されている。これらの収納凹部Ｔａは、何れも天板Ｔの側方へ開放された格好になっている。
更に、一対の天板Ｔの突き合される各側端面には、各天板Ｔの端部裏面に形成した収納凹部Ｔａに連通して両連結プレート１，２の係止部１ｂ，２ｂが夫々挿入されるガイド溝Ｔｂが夫々形成されている。このガイド溝Ｔｂは、両連結プレート１，２の係止部１ｂ，２ｂを相手側の連結プレート１，２の切欠部１ｃ，２ｃ内へ差し込む際に、係止部１ｂ，２ｂが各天板Ｔの側端面と干渉することなく、相手側の連結プレート１，２の切欠部１ｃ，２ｃ内へ挿入されるようにするためのものである。
【００２５】
尚、上記の実施形態に於いては、天板Ｔには、合板等の台板の表面に化粧板を貼着したものを使用したが、他の実施形態に於いては、天板Ｔにアクリル系やポリエステル系等の所謂人工大理石製の天板Ｔを使用しても良く、又、天板Ｔにスギやヒノキ等の天然木の天板Ｔを使用するようにしても良い。
【００２６】
次に、上述した天板用連結具Ａを用いて一対の天板Ｔを突き合せ状態で連結する場合について説明する。
【００２７】
複数組の天板用連結具Ａを互いに突き合せ状態で連結する一対の天板Ｔの各端部に沿って配置し、各天板用連結具Ａの位置決めプレート３を取り付けた両連結プレート１，２を、係止部１ｂ，２ｂの外側端が天板Ｔの側端面から突出する状態で天板Ｔの各端部裏面に形成した収納凹部Ｔａ内に複数のビス４により取り付ける（図６及び図７参照）。
【００２８】
この状態で複数組の天板用連結具Ａの一方の連結プレート１の係止部１ｂ先端を他方の連結プレート２の切欠部２ｃの開口に、又、他方の連結プレート２の係止部２ｂ先端を一方の連結プレート１の切欠部１ｃの開口に夫々対向させ、両連結プレート１，２を近接する方向へスライドさせる。
そうすると、一方の連結プレート１の係止部１ｂが他方の連結プレート２の切欠部２ｃ内へ、他方の連結プレート２の係止部２ｂが一方の連結プレート１の切欠部１ｃ内へ順次挿入されて行く。
【００２９】
このとき、両連結プレート１，２の係止部１ｂ，２ｂの外縁部に面取り加工を施しているため、係止部１ｂ，２ｂは連結プレート１，２の固定部１ａ，２ａの外側端面１ａ′，２ａ′に形成した各位置決め溝１ｅ，２ｅ内ヘ円滑且つスムースに挿入されて行く。
又、両連結プレート１，２の固定部１ａ，２ａの外側端面１ａ′，２ａ′に位置決めプレート３により係止部１ｂ，２ｂが夫々摺動自在に嵌合される位置決め溝１ｅ，２ｅを形成しているため、両連結プレート１，２の位置決め溝１ｅ，２ｅ及び両係止部１ｂ，２ｂが雇い実の役目を果たし、両天板Ｔを連結したときに両天板Ｔの表面のレベルが自動的に調整されて同一になり、レベル調整を行う必要がない。
更に、両連結プレート１，２の係止部１ｂ，２ｂを夫々平面形状が楔状になるように形成しているため、両連結プレート１，２を連結するときに、両係止部１ｂ，２ｂの楔作用により両連結プレート１，２が強くひきつけられることになり、両天板Ｔの突き合せ部の隙間を無くすことができる。
【００３０】
そして、一方の連結プレート１の係止部１ｂが他方の連結プレート２の切欠部２ｃへ、又、他方の連結プレート２の係止部２ｂが一方の連結プレート１の切欠部１ｃへ夫々完全に差し込まれると、両連結プレート１，２の係止部１ｂ，２ｂの楔作用により一対の天板Ｔの端面同士が隙間なく密着することになる（図８参照）。その結果、一対の天板Ｔは、複数組の天板用連結具Ａにより端面同士が隙間なく完全に密着した状態で連結されることになる。
【００３１】
一方、両天板Ｔを連結した状態から両連結プレート１，２を前記と反対方向へ強制的にスライドさせると、一方の連結プレート１の係止部１ｂが他方の連結プレートの切欠部２ｃから、又、他方の連結プレート２の係止部２ｂが一方の連結プレート１の切欠部１ｃから夫々抜けることになる。その結果、両連結プレート１，２が分離され、一対の天板Ｔの連結が解除されることになる。
【００３２】
連結が解除された天板Ｔは、天板用連結具Ａを取り付けた状態で工場から現地へ運ばれ、現地で上述した組立作業を行うことによって連結される。
【００３３】
このとき、一対の天板Ｔの各端部裏面に天板用連結具Ａが収納される収納凹部Ｔａを形成し、当該収納凹部Ｔａ内に天板用連結具Ａを取り付けているため、天板用連結具Ａが天板Ｔの裏面から突出することがなく、天板Ｔに取り付けた天板用連結具Ａが邪魔になると云うことがない。その結果、天板Ｔに天板用連結具Ａを取り付けた状態のまま、天板Ｔを工場から現地へ搬送することができる。
又、現地での天板Ｔの連結は、一方の連結プレート１の係止部１ｂを他方の連結プレート２の切欠部２ｃへ、又、他方の連結プレート２の係止部２ｂを一方の連結プレート１の係止部１ｂへ夫々挿入するだけで、両天板Ｔを連結することができるため、現地での天板Ｔの連結を簡単且つ容易に行えることになる。
【００３４】
図９〜図１１は本発明の第２の実施形態に係る天板用連結具Ａを示し、当該天板用連結具Ａは、連結される一方の天板Ｔの端部裏面に取り付けられる連結プレート１と、連結される他方の天板Ｔの端部裏面に取り付けられる連結プレート２と、両連結プレート１，２の片面に夫々取り付けた一枚の位置決めプレート３とから構成されており、上述した第１の実施形態に係る天板用連結具Ａ（図１〜図４に示す天板用連結具Ａ）の両連結プレート１，２の片側の位置決めプレート３を省略したものである。
【００３５】
この天板用連結具Ａの両連結プレート１，２及び各位置決めプレート３は、上述した第１の実施形態に係る天板用連結具Ａ（図１〜図４に示す天板用連結具Ａ）の連結プレート１，２及び位置決めプレート３と同じ材質により同一の形状及び同一の大きさに形成されており、図１〜図４の天板用連結具Ａと同じ部位・部材には同一の参照番号を付し、その詳細な説明を省略する。
【００３６】
そして、前記天板用連結具Ａは、図１１に示す如く、両連結プレート１，２が位置決めプレート３を外側へ向けた状態で一対の天板Ｔの各端部裏面に形成した収納凹部Ｔａ内に複数のビス４により取り付けられており、位置決めプレート３と天板Ｔの収納凹部Ｔａ底面との間で且つ両連結プレート１，２の固定部１ａ，２ａの外側端面１ａ′２ａ′に位置決め溝１ｅ，２ｅが夫々形成された格好になっている。
この天板用連結具Ａも、上述した第１の実施形態に係る天板用連結具Ａと同様の作用効果を奏することができる。
【００３７】
図１２及び図１３は本発明の第３の実施形態に係る天板用連結具Ａを示し、当該天板用連結具Ａは、連結される一方の天板Ｔの端部裏面に取り付けられる連結プレート１と、連結される他方の天板Ｔの端部裏面に取り付けられる連結プレート２とから構成されており、上述した第１の実施形態に係る天板用連結具Ａ（図１〜図４に示す天板用連結具Ａ）の位置決めプレート３を全て省略したものである。
【００３８】
この天板用連結具Ａの両連結プレート１，２は、上述した第１の実施形態に係る天板用連結具Ａ（図１〜図４に示す天板用連結具Ａ）の連結プレート１，２と同じ材質により同一の形状及び同一の大きさに形成されており、図１〜図４の天板用連結具Ａと同じ部位・部材には同一の参照番号を付し、その詳細な説明を省略する。
この天板用連結具Ａも、上述した第１の実施形態に係る天板用連結具Ａと略同様の作用効果を奏することができる。
【００３９】
図１４及び図１５は本発明の第４の実施形態に係る天板用連結具Ａを示し、当該天板用連結具Ａは、連結される一方の天板Ｔの端部裏面に取り付けられる連結プレート１と、連結される他方の天板Ｔの端部裏面に取り付けられる連結プレート２とから構成されており、両連結プレート１，２の固定部１ａ，２ａを係止部１ｂ，２ｂよりも厚肉に形成し、固定部１ａ，２ａの係止部１ｂ，２ｂに対向する外側端面１ａ′，２ａ′に、相手側の係止部１ｂ，２ｂが夫々摺動自在に嵌合される位置決め溝１ｅ，２ｅを形成したものである。
【００４０】
この天板用連結具Ａの両連結プレート１，２は、固定部１ａ，２ａを厚肉に形成し、その外側端面１ａ′，２ａ′に位置決め溝１ｅ，２ｅを形成したこと以外は、上述した第１の実施形態に係る天板用連結具Ａ（図１〜図４に示す天板用連結具Ａ）のものと同様構造に構成されており、図１〜図４の天板用連結具Ａと同じ部位・部材には同一の参照番号を付し、その詳細な説明を省略する。
この天板用連結具Ａも、上述した第１の実施形態に係る天板用連結具Ａと同様の作用効果を奏することができる。
【００４１】
尚、上記の各実施形態に於いては、天板用連結具Ａの各部材（両連結プレート１，２及び各位置決めプレート３）を全て金属板により形成するようにしたが、他の実施形態に於いては、天板用連結具Ａの各部材（両連結プレート１，２及び各位置決めプレート３）を剛性を有するプラスチック板により形成するようにしても良く、或いは連結プレート１，２と位置決めプレート３をプラスチック材により一体的に形成するようにしても良い。又、天板用連結具Ａを木製の板により形成するようにしても良い。
更に、上記の各実施形態に於いては、天板用連結具Ａを天板Ｔの端部裏面にビス４により取り付けるようにしたが、他の実施形態に於いては、天板用連結具Ａを天板Ｔの端部裏面に接着剤により取り付けるようにしても良い。
【図面の簡単な説明】
【００４２】
【図１】本発明の第１の実施形態に係る天板用連結具の斜視図である。
【図２】天板用連結具の分解斜視図である。
【図３】天板用連結具を分離した状態の平面図である。
【図４】天板用連結具を連結した状態の平面図である。
【図５】連結される一対の天板を裏面側から見た天板の部分斜視図である。
【図６】連結される一対の天板の各端部裏面に天板用連結具を取り付けた状態の天板の部分裏面図である。
【図７】図６のＩ−Ｉ線拡大断面図である。
【図８】天板用連結具により天板を連結した状態の天板の部分裏面図である。
【図９】本発明の第２の実施形態に係る天板用連結具の斜視図である。
【図１０】図９に示す天板用連結具の分解斜視図である。
【図１１】図９に示す天板用連結具を連結される一対の天板の各端部裏面に取り付けた状態の図７と同様の拡大断面図である。
【図１２】本発明の第３の実施形態に係る天板用連結具の斜視図である。
【図１３】図１２に示す天板用連結具を連結される一対の天板の各端部裏面に取り付けた状態の図７と同様の拡大断面図である。
【図１４】本発明の第４の実施形態に係る天板用連結具の斜視図である。
【図１５】図１４に示す天板用連結具を連結される一対の天板の各端部裏面に取り付けた状態の図７と同様の拡大断面図である。
【図１６】（Ａ）及び（Ｂ）は何れも従来の接続金具を用いて天板の端部同士を連結した状態の正面図である。
【符号の説明】
【００４３】
Ａは天板用連結具、Ｔは天板、Ｔａは天板の収納凹部、１は連結プレート、１ａは固定部、１ａ′は固定部の外側端面、１ｂは係止部、１ｂ′は係止部の内側端面、１ｃは切欠部、１ｅは位置決め溝、２は連結プレート、２ａは固定部、２ａ′は固定部の外側端面、２ｂは係止部、２ｂ′は係止部の内側端面、２ｃは切欠部、２ｅは位置決め溝、３は位置決めプレート。
【図１】
2010038298.tif 000003
【図２】
2010038298.tif 000004
【図３】
2010038298.tif 000005
【図４】
2010038298.tif 000006
【図５】
2010038298.tif 000007
【図６】
2010038298.tif 000008
【図７】
2010038298.tif 000009
【図８】
2010038298.tif 000010
【図９】
2010038298.tif 000011
【図１０】
2010038298.tif 000012
【図１１】
2010038298.tif 000013
【図１２】
2010038298.tif 000014
【図１３】
2010038298.tif 000015
【図１４】
2010038298.tif 000016
【図１５】
2010038298.tif 000017
【図１６】
2010038298.tif 000018